(57)【要約】【課題】  受信装置のシステムブート時にデジタル放送の番組情報を表示できる仕組みを提案することにより、特に移動体に乗車しているユーザに対して受信装置の起動完了までの退屈感などの不快感を解消することが可能な技術を提供する。【解決手段】  本発明によれば、システムブート時に動作可能な時計手段から時間情報を取得して、この時間情報にもとづいてメモリに蓄積されている番組情報を読み出して、システムの起動完了まで表示装置に番組情報を表示することによって、システム起動時にユーザを退屈させることなく番組情報を閲覧させることで番組の概要を把握でき、システム起動後に直ちに番組コンテンツを表示装置から出力することによってユーザの番組コンテンツへの視聴意欲をわかせることができる。【選択図】  図２
2006303883.tif 000002
【特許請求の範囲】
【請求項１】
番組情報を受信する受信手段と、
受信した番組情報を記憶しておく記憶手段と、
システムの起動時に時計情報に対応した番組情報を前記記憶手段から読み出すメモリアクセス手段と、
前記メモリアクセス手段により前記記憶手段から読み出された番組情報を表示装置に表示する表示制御手段とからなる番組情報表示装置。
【請求項２】
前記に加えて、受信した番組コンテンツの映像・音声種別を判別するジャンル判別手段を有しており、
ジャンル判別手段により得られた番組コンテンツのジャンル毎の視聴頻度を検出する手段とを有し、
前記メモリアクセス手段は、前記で検出された視聴頻度順位の高いジャンルの番組情報を読み出す請求項１記載の番組情報表示装置。
【請求項３】
前記ジャンルを外部から指定する指定手段を備えた請求項２記載の番組情報表示装置。
【請求項４】
前記記憶手段に記憶された番組情報の中の所定の番組情報を他の番組情報を識別可能な表示状態とする番組情報表示変更手段を備えた請求項１記載の番組情報表示装置。
【請求項５】
前記他の番組情報と識別可能な表示状態とされる所定の番組情報は、外部から指定されたジャンルの番組情報である請求項４記載の番組情報表示装置。
【請求項６】
前記に加えて、前記起動制御手段がシステムの起動完了を検出して前記記憶手段アクセス手段に対して番組情報の読出を停止させた後に、前記で識別可能な表示状態で表示されていた番組情報に対応する番組コンテンツを表示装置に出力する表示制御手段を備えた請求項４または５記載の番組情報表示装置。
【請求項７】
前記で表示された番組情報を選択する選択手段と、
選択された番組情報を視聴または録画予約として設定する設定手段とをさらに備えた請求項１〜６のいずれかに記載の番組情報表示装置。
【請求項８】
前記番組情報の受信を所定の受信条件のときのみに行う番組情報受信制御手段をさらに備えた請求項１〜７のいずれかに記載の番組情報表示装置。
【請求項９】
前記受信条件を外部からの指定によって設定する請求項８記載の番組情報表示装置。
【請求項１０】
前記で検出された視聴頻度順位の高いジャンルの番組情報を他の番組情報と識別可能な状態で表示装置に表示されてなる請求項２記載の番組情報表示装置。
【請求項１１】
前記起動制御手段がシステムの起動完了を検出した後にも、外部からの入力指示により、前記番組情報の表示制御手段への送信を継続する継続表示指示手段をさらに備えた請求項１記載の番組情報表示装置。
【請求項１２】
前記起動制御手段がシステムの起動完了を検出した後に前記番組情報の表示制御手段への送信を継続するか否かをあらかじめ設定可能な継続表示設定手段をさらに備えた請求項１記載の番組情報表示装置。
【発明の詳細な説明】
【技術分野】
【０００１】
本発明は、放送番組表の表示技術に関する。
【背景技術】
【０００２】
地上波デジタル放送の普及にともなって、車両等の移動体においてもテレビやラジオ等の地上波デジタル放送受信装置が搭載されることが予想される。
【０００３】
ところで、移動体に搭載される受信装置は、家庭内に設置されるテレビ・ラジオ受信機と異なり、車両のエンジンが停止している場合には電源が完全にオフ状態となっているため、エンジンが始動してシステムが起動されると、まずブートプログラムが実行され、受信装置の表示装置に放送が表示されるまでには十数秒乃至数分の時間を要していた。
【０００４】
そして、システムの起動が完了するまでの間、メーカーや製品の商標を表示したオープニング画面が表示されるものが一般的であった。
【０００５】
なお、カーナビゲーション装置において、ユーザにとっての待ち時間が発生したときにおける、ユーザの待たされているという感覚をやわらげるための技術として特許文献１（特開２００１−１６５６７６号公報）がある。
【０００６】
この特許文献１では、外部メモリに、ユーザにとっての待ち時間に表示装置に表示する情報のデータ（歳時記、クイズ、占い、心理テストやデータ通信により得たニュースやイベント情報）を記憶させておく。ユーザは、設定画面にて、表示情報の種類をあらかじめ選択しておくことができる。装置の起動時には、制御装置の各プログラムモジュールが立ち上げられ、アプリケーションは、ＧＰＳデータ解析モジュールから受取った日付情報に応じた歳時記のデータを外部メモリから読取って、表示モジュールを使ってその歳時記を表示装置の画面に表示させる。その後、ＧＰＳデータ解析によって検出された現在地情報を受取り、地図データ入力器から現在地周辺の地図データを読取り、現在地周辺の地図および現在地を表示装置の画面に表示させるというものである。
【０００７】
しかしながら、上記技術においては、ＧＰＳデータ解析モジュールが起動していないと日付情報を取得することができない。通常は、カーナビゲーション装置のブート時間よりもＧＰＳデータの解析時間の方が長い時間を必要とするため、現実的ではなかった。
【特許文献１】特開２００１−１６５６７６号公報
【発明の開示】
【発明が解決しようとする課題】
【０００８】
このような受信装置のブート時のオープニング画面表示は、ユーザにとって何ら有益な情報ではなく、特許文献１によっても解決することが困難な、起動時にユーザに対して無駄な時間を過ごさせない技術の実現が渇望されていた。
【０００９】
本発明は、このような点に鑑みてなされたものであり、受信装置のシステムブート時にデジタル放送の番組情報を表示できる仕組みを提案することにより、特に移動体に乗車しているユーザに対して受信装置の起動完了までの退屈感などの不快感を解消することが可能な技術を提供することを課題とする。
【課題を解決するための手段】
【００１０】
前記課題を解決するために、本発明は以下のような手段を採用した。
本発明は、番組情報を受信する受信手段と、受信した番組情報を記憶しておく記憶手段と、システムの起動時に時計情報に対応した番組情報を前記記憶手段から読み出すメモリアクセス手段と、前記メモリアクセス手段により前記記憶手段から読み出された番組情報を表示装置に表示する表示制御手段とからなる番組情報表示装置（請求項１）である。
【００１１】
すなわち、システムブート時に動作可能な時計手段から時間情報を取得して、この時間情報にもとづいて記憶手段に蓄積されている番組情報を読み出して、システムの起動完了まで表示装置に番組情報を表示するものである。
【００１２】
これによって、システム起動時にユーザを退屈させることなく番組情報を閲覧させることで番組の概要を把握でき、システム起動後に直ちに番組コンテンツを表示装置から出力することによってユーザの番組コンテンツへの視聴意欲をわかせることができる。
【００１３】
また、前記に加えて、受信した番組コンテンツの映像・音声種別を判別するジャンル判別手段を設け、ジャンル判別手段により得られた番組コンテンツのジャンル毎の視聴頻度を検出する手段をさらに設け、前記メモリアクセス手段が、前記で検出された視聴頻度順位の高いジャンルの番組情報を前記表示制御手段に送信するようにしてもよい（請求項２）。
【００１４】
これにより、当該ユーザにとって興味のあるジャンルが選択され、お勧め番組として番組情報が表示されることになる。
【００１５】
なお、このジャンルを外部から指定する指定手段を備えた構成としてもよい（請求項３）。
また、記憶手段に記憶された番組情報の中の所定の番組情報を他の番組情報を識別可能な表示状態とする番組情報表示変更手段を備えてもよい（請求項４）。
【００１６】
このように、強調表示を行うことにより、ユーザの嗜好に合わせた番組情報の提供が可能となる。
【００１７】
また、前記他の番組情報と識別可能な表示状態とされる所定の番組情報は、外部から指定されるようにしてもよい（請求項５）。
【００１８】
また、前記起動制御手段がシステムの起動完了を検出して前記メモリアクセス手段に対して番組情報の読出を停止させた後に、前記で識別可能な表示状態で表示されていた番組情報に対応する番組コンテンツを表示装置に出力するようにしてもよい（請求項６）。
【００１９】
システムの起動完了前に表示されていた番組情報をユーザがディスプレイパネルの所定領域（アイコン等）を押すことによって指定した場合、その押した位置をディスプレイマイコン等により保持しておき、起動完了後に当該位置情報から日時情報を割り出して、当該番組情報に対応した番組コンテンツが放送中である場合には番組コンテンツをそのまま表示装置に出力する。これにより、番組情報と番組コンテンツの視聴とをシームレスに実現することができる。
【００２０】
また、表示された番組情報を選択する選択手段と、選択された番組情報を視聴または録画予約として設定する設定手段とをさらに備えてもよい（請求項７）。
【００２１】
また、番組情報の受信を所定の受信条件のときのみに行う番組情報受信制御手段をさらに備えてもよい（請求項８）。
【００２２】
このように受信レベルが所定値以上の良好なときだけに番組情報を受信すればよい。
【００２３】
また、前記受信条件を外部からの指定によって設定してもよい（請求項９）。具体的には受信タイミング、たとえばインターバル時間（何分おき等のように）、受信レベル等をユーザ自身で設定してもよい。
【００２４】
また、前記で検出された視聴頻度順位の高いジャンルの番組情報を他の番組情報と識別可能な状態で前記表示制御手段に表示するようにしてもよい（請求項１０）。
【００２５】
ここで他の番組情報と識別可能な表示状態とは、たとえば所定の番組情報のみを強調表示（背景を色付け、太枠で囲む、フォント色を変更する）することが考えられる。
【００２６】
また、前記起動制御手段がシステムの起動完了を検出した後にも、外部からの入力指示により、前記番組情報の表示制御手段への送信を継続するようにしてもよい（請求項１１）。これは、ユーザがさらに番組情報を継続して見たい場合の利便性に配慮したものである。
【００２７】
また、前記起動制御手段がシステムの起動完了を検出した後に前記番組情報の表示制御手段への送信を継続するか否かをあらかじめ設定可能としてもよい（請求項１２）。
【発明の効果】
【００２８】
本発明によれば、受信装置のシステムブート時にデジタル放送の番組情報を表示できる仕組みを実現でき、特に移動体に乗車しているユーザに対して受信装置の起動完了までの退屈感などの不快感を解消することができる。
【発明を実施するための最良の形態】
【００２９】
次に本発明の実施形態を図面にもとづいて説明する。
図１は、本実施形態のシステム構成を示すブロック図である。
受信装置１は、RF-Base  BAND処理部２と、ＯＦＤＭ復調処理部３と、TS DEMUX処理部
４とビデオデコーダ５と、オーディオデコーダ６と表示コントローラ（ＧＤＣ）７（表示制御手段）と、表示装置（Ｄｉｓｐｌａｙ）８と、Ｄ／Ａコンバータ９とスピーカ１０とで構成される。なお、図示は省略しているが表示装置（Ｄｉｓｐｌａｙ）８は、タッチパネル等の入力手段を備えており、ディスプレイ上の押し位置を中央処理装置（ＣＰＵ）１３が認識できるようになっている。
【００３０】
またこれらはバスを介して、中央処理装置（ＣＰＵ）１３を中心とする情報処理システムと接続されている。情報処理システムは前記中央処理装置（ＣＰＵ)）１３の他にメモ
リ（ＲＡＭ）１１、メモリ(ＲＯＭ)１２、時計手段（ＲＴＣ:Real Time Clock)１４、大
規模記憶装置（ＨＤＤ）１５等で構成されている。なお、図示は省略したが、メモリ（ＲＡＭ）１１にはメモリコントローラ１７（メモリアクセス手段）およびミラーレジスタ１８を備えている。時計手段（ＲＴＣ）１４は、システムがオフ状態の場合でも内蔵電池により常時動作している。ミラーレジスタ１８は、時計手段（ＲＴＣ）の内容を保持するレジスタであり、分、時間、曜日、日が実時間（リアルタイム）で保持されるようになっている。メモリコントローラ１７は中央処理装置（ＣＰＵ）１３からは独立してメモリへのアクセスを行うコントローラであり、中央処理装置（ＣＰＵ）１３からの割り込み制御によって起動、停止されるようになっている。
【００３１】
本実施形態の受信装置は、地上波デジタル放送の受信装置であり、チューナとしてのRF-Base  BAND処理部２を介してＯＦＤＭ復調処理部３で直交波周波数分割多重波（ＯＦＤ
Ｍ:Orthogonal Frequency Division Multiplexing）に対してAD変換、ＯＦＤＭ復調、誤
り訂正が行われる。そして、TS DEMUX処理部４でビデオ信号とオーディオ信号に分離されて、それぞれビデオデコーダ５およびオーディオデコーダ６に入力される。
【００３２】
ビデオデコーダで復号された映像信号は、表示制御手段としての表示コントローラ（ＧＤＣ）７によって制御されて表示装置（Ｄｉｓｐｌａｙ）８に出力される。
【００３３】
一方、オーディオデコーダ６で復号された音声信号は、Ｄ／Ａコンバータ９でアナログ変換された後に、スピーカ１０から出力される。
【００３４】
図２は、番組情報の読み出しを行うためのハードウエア構成を示すブロック図である。ここで、番組情報（EPG）は、ＯＦＤＭ復調処理部３またはTS DEMUX処理部４が受信信号
の中から抽出する。この番組情報はテキスト情報で構成されており、定期的に中央処理装置（ＣＰＵ）１３の制御によってメモリ１１に蓄積される。
【００３５】
次に、受信装置１の電源がオフ状態から電源がオン状態となったときには、中央処理装置（ＣＰＵ）１３はメモリ（ＲＯＭ）１２からブートプログラムを読み出してシステムの起動処理を開始する。これとともに、メモリコントローラ１７を起動する。メモリコントローラ１７は、ミラーレジスタ１８から時計情報を取得して、当該時計情報に対応する番組情報をメモリ１１から読み出す。同図では具体的には、２３日（水曜日）１９：００のときには、０ｘ１３００から当該日時の番組情報が読み出される。
【００３６】
ここで、メモリコントローラ１７によってメモリ１１から読み出された番組情報は、バスを介して表示コントローラ（ＧＤＣ）７から表示装置（Ｄｉｓｐｌａｙ）８に出力・表示される。
【００３７】
次に、システムの起動が完了すると、中央処理装置（ＣＰＵ）１３（起動制御手段）より割り込み信号（ADD）がメモリコントローラ１７に入力される。これによりメモリコン
トローラ１７は、メモリ１１へのアクセスが中断される。これにより、番組情報の表示装置（Ｄｉｓｐｌａｙ）８への表示が中断され、中央処理装置（ＣＰＵ）１３の通常の制御によりカーナビゲーション等の表示画面に切り替わる。
【００３８】
図３は、別の具体例を示すメモリ１１のアドレスマップについて示したものである。同図に示すように、メモリ１１には通常の番組情報の登録アドレス（０ｘ１３００〜）の他に、お勧め番組情報の登録エリア（０ｘ０８００〜）を有している。
【００３９】
デジタル地上波の受信データ（TS: Transport Stream）中には映像・音声種類判別データ(PSI: Program Specific Information / SI: Service Information)等が含まれており
、これらのデータから番組コンテンツのジャンルを抽出することができる。中央処理装置（ＣＰＵ）１３は、番組コンテンツの受信時（視聴時）に、TS DEMUX処理部４からコンテンツのジャンル情報を抽出しておき、メモリ１１中にデータベースを構築する。このデータベースは、ジャンル別（たとえば、ドラマ、スポーツ、ニュース等）に視聴頻度の順位を設定しておく。そして、システムが作動している間に、中央処理装置（ＣＰＵ）１３の処理により、受信した番組情報をジャンル別に整理し、電源オフ信号が入力されたときに、中央処理装置（ＣＰＵ）１３は、前記ジャンルの中でお勧めとなる番組情報（ここではデータベースから視聴ジャンルの第1位がドラマである場合にはドラマ番組情報）をメモ
リ１１の「お勧め番組情報」のエリアに移動させ、その後システムをオフ状態とする。
【００４０】
このような中央処理装置（ＣＰＵ）１３の処理手順を示したものが図５である。すなわち、中央処理装置（ＣＰＵ）１３は、あらかじめ設定された取得時間であるか否かを判断する（Ｓ０１）。ここで取得時間となったときには、中央処理装置（ＣＰＵ）１３は、番
組情報の取得を開始する（Ｓ０２）。
【００４１】
次に、取得した番組情報からジャンルを抽出し、ジャンル別の番組情報（日、開始終了時刻、番組名、チャンネル）をメモリ１１に蓄積する（Ｓ０３）。
【００４２】
そして、中央処理装置（ＣＰＵ）１３がシステムの電源オフとなったことを検出すると（Ｓ０４）、前記ジャンルの中でお勧めとなる番組情報（ここではデータベースから視聴ジャンルの第1位がドラマである場合にはドラマ番組情報）をメモリ１１の「お勧め番組
情報」のエリアに移動させ、その後システムをオフ状態とする（Ｓ０５）。
【００４３】
そして、次に、受信装置１の電源がオフ状態から電源がオン状態となったときには、中央処理装置（ＣＰＵ）１３はメモリ（ＲＯＭ）１２からブートプログラムを読み出してシステムの起動処理を開始する。これとともに、メモリコントローラ１７を起動する。メモリコントローラ１７は、まずお勧め番組情報の格納アドレス（０ｘ０８００）にアクセスする。これによって、お勧め番組情報（ここではドラマ番組情報）がメモリ１１から読み出されて、バスを介して表示コントローラ（ＧＤＣ）７から表示装置（Ｄｉｓｐｌａｙ）８に出力・表示される（図４参照）。
【００４４】
次に、システムの起動が完了すると、中央処理装置（ＣＰＵ）１３（起動制御手段）より異なるアドレス信号（ADD）がメモリコントローラ１７に入力される。これによりメモ
リコントローラ１７は、メモリ１１の異なるメモリエリアへのアクセスが中断される。これにより、番組情報の表示装置（Ｄｉｓｐｌａｙ）８への表示が中断され、中央処理装置（ＣＰＵ）１３の通常の制御によりカーナビゲーション等の表示画面に切り替わる。
【００４５】
図６は、表示装置（Ｄｉｓｐｌａｙ）８のジャンル指定画面を示したものである。当該表示装置（Ｄｉｓｐｌａｙ）８にはタッチパネルが設けられており、ジャンルを外部から指定する指定手段として機能している。
【００４６】
すなわち、システム作動中に中央処理装置（ＣＰＵ）１３は、同図に示す画面を表示する。この状態でユーザがジャンル（たとえばドラマ）を指定すると、メモリ１１のデータベースから指定したジャンルの番組情報が図３に示したお勧め番組情報のエリアに移動される。この番組情報の移動は、たとえば中央処理装置（ＣＰＵ）１３がシステムの電源オフとなったことを検出したときに実行してもよい。
【００４７】
そして、次に、受信装置１の電源がオフ状態から電源がオン状態となったときには、中央処理装置（ＣＰＵ）１３はメモリ（ＲＯＭ）１２からブートプログラムを読み出してシステムの起動処理を開始する。これとともに、メモリコントローラ１７を起動する。メモリコントローラ１７は、まずお勧め番組情報の格納アドレス（０ｘ０８００）にアクセスする。これによって、前記でユーザが指定したジャンルの番組情報（ここではドラマ番組情報）がメモリ１１から読み出されて、バスを介して表示コントローラ（ＧＤＣ）７から表示装置（Ｄｉｓｐｌａｙ）８に出力表示される（図４参照）。
【００４８】
次に、システムの起動が完了すると、中央処理装置（ＣＰＵ）１３（起動制御手段）より異なるアドレス信号（ADD）がメモリコントローラ１７に入力される。これによりメモ
リコントローラ１７は、メモリ１１の異なるメモリエリアへのアクセスが中断される。これにより、番組情報の表示装置（Ｄｉｓｐｌａｙ）８への表示が中断され、中央処理装置（ＣＰＵ）１３の通常の制御によりカーナビゲーション等の表示画面に切り替わる。
【００４９】
図７は、外部から視聴率情報等の情報を得る場合のハードウエア構成の一部を示している。
【００５０】
同図において中央処理装置（ＣＰＵ）１３は、外部センターから得られた視聴率ランキングデータ（日毎、週毎、ジャンル毎など）を取得し、ＤＣＭ１９およびＤＣＭインターフェース２０を介してメモリ１１に蓄積する。
【００５１】
そして、中央処理装置（ＣＰＵ）１３は、システム動作中に、メモリ１１に蓄積された視聴率データにもとづいて、定期的にメモリ１１に保存しておいた番組情報に重み付けを行い、強調表示フラグを付加する。図９はメモリ１１のアドレスマップであり、具体的には前記で得られた視聴率データの上位にある番組情報、ここでは０ｘ１４００の番組情報に強調表示フラグを追記する。この強調表示フラグによって、当該番組情報が他の番組情報と識別可能な表示状態とすることができる。
【００５２】
この強調表示フラグは具体的にはHTMLやXMLのタグを用いることができる。
このような中央処理装置（ＣＰＵ）１３の処理手順を示したものが図８である。
すなわち、中央処理装置（ＣＰＵ）１３は、あらかじめ設定された取得時間であるか否かを判断する（Ｓ２０）。ここで取得時間となったときには、中央処理装置（ＣＰＵ）１３は、番組情報の取得を開始する（Ｓ２１）。
【００５３】
次に、取得した番組情報をあらかじめ得られた視聴率の上位の番組情報と比較する。そして視聴率の上位の番組情報である場合には当該番組情報に強調表示フラグを追記してメモリ１１に登録する（Ｓ２２）。
【００５４】
そして、中央処理装置（ＣＰＵ）１３がシステムの電源オフとなったことを検出すると、前記ジャンルの中でお勧めとなる番組情報（ここでは視聴率上位の強調表示フラグが追記された番組情報）をメモリ１１の「お勧め番組情報」のエリアに移動させ、その後システムをオフ状態とする（Ｓ０５）。
【００５５】
そして、次に、受信装置１の電源がオフ状態から電源がオン状態となったときには、中央処理装置（ＣＰＵ）１３はメモリ（ＲＯＭ）１２からブートプログラムを読み出してシステムの起動処理を開始する。これとともに、メモリコントローラ１７を起動する。メモリコントローラ１７は、まずお勧め番組情報の格納アドレスにアクセスする。これによって、お勧め番組情報（ここではドラマ番組情報）がメモリ１１から読み出されて、バスを介して表示コントローラ（ＧＤＣ）７から表示装置（Ｄｉｓｐｌａｙ）８に出力・表示される。
【００５６】
このとき、当該番組情報には強調表示フラグが設定されているため、たとえば、番組情報が背景を色付け、太枠で囲む、フォント色を変更する等の状態で表示装置８に表示される。
【００５７】
なお、番組情報の強調表示は、あらかじめユーザがジャンルを指定しておいたものに対して行われるものであってもよい。図１０は強調表示するジャンルをユーザが指定する表示装置８の表示画面と、データベースの状態を示したものである。このように、たとえばユーザがジャンルとしてあらかじめ「ドラマ」のジャンルを指定しておくことにより、視聴率の上位のドラマの番組情報が強調表示することができる。
【００５８】
図１１と図１２は、表示装置８に表示された番組情報をユーザが選択した場合の処理を示すフロー図である。また、図１３は中央処理装置（ＣＰＵ）１３の内部構成、特に本実施形態で用いられる構成を示したものである。すなわち、コア部１３ｂは従前説明した中央処理装置（ＣＰＵ）１３の機能を実現している部位であり、本実施形態ではこのコア部１３ｂの他に、ディスプレイマイコンインターフェース１３ａ、受信系制御部１３ｃおよ
び記録計制御部１３ｄを有している。ディスプレイマイコンインターフェース１３ａはバスを介してディスプレイマイコン２１と接続されている。
【００５９】
当該構成において、まず、中央処理装置（ＣＰＵ）１３がシステムの起動完了を検出するまでは図４に示した画面表示が継続される。
【００６０】
ここで、表示装置８に表示された番組情報をユーザがタッチパネル機能で指定した場合、表示装置８に設けられたディプレイマイコン２１は、そのメモリエリアにユーザが押したディプレイ位置の座標値を保持する（Ｓ４１）。
【００６１】
次に、中央処理装置（ＣＰＵ）１３がシステムの起動完了を検出し（Ｓ４０）、前記ディスプレイマイコン２１にバスを介して通知がなされると、ディスプレイマイコン２１は、ステップＳ４１でユーザが押したディスプレイの座標値を中央処理装置（ＣＰＵ）１３に送信する（Ｓ４２）。そして、ディスプレイマイコンはメモリエリアに保持していたディスプレイ位置の座標値をクリアする（Ｓ４３）。
【００６２】
一方、中央処理装置（ＣＰＵ）１３は、システムの起動完了を認識すると（Ｓ３０）、前記ディスプレイマイコン２１からユーザが押したディスプレイの座標値を取得する（Ｓ３１）。そして、その座標値からそこに表示されていた番組情報を参照して、当該番組情報の番組配信時間を検出する（Ｓ３２）。
【００６３】
次に中央処理装置（ＣＰＵ）１３は、その時点で当該番組配信時間に該当しているか（現在放送中か）否かを判定する（Ｓ３３）。
【００６４】
ここで、番組配信時間に該当している場合（現在放送中）には、前記座標値に該当する番組情報からチャンネルを読み出して、受信系制御部１３ｃに当該チャンネルを設定する（Ｓ３４）。これにもとづいて受信系制御部１３ｃは、RF-Base  BAND処理部２に対し当
該チャンネルの放送受信を指示する。
【００６５】
また、ステップＳ３３において、番組配信時間に該当していない場合（放送時間でない）場合には、受信系制御部１３ｃに対して当該チャンネルを受信チャンネルとして設定し、さらに記録系制御部１３ｄに対して番組配信時間を指示して録画予約を設定させる。
【００６６】
このようにして、ブート時に表示装置８に表示された番組情報をユーザが指定した場合にも、当該指定情報がブート後（起動完了後）に引き継がれて指定された放送の受信または録画が可能となる。
【００６７】
図１４および図１５は、番組情報の受信を所定の受信条件のときのみに行う番組情報受信制御手段を具現化するためのシステム構成およびフロー図である。
【００６８】
図１４では、ＯＦＤＭ復調処理部３の出力を受信レベルＡ／Ｄコンバータ２２で検出して受信信号のレベルを検出しこの検出結果を中央処理装置（ＣＰＵ）１３に通知するようになっている。なお、受信レベルＡ／Ｄコンバータ２２は、ＯＦＤＭ復調処理部３に一体化したものであってもよい。その他の構成については図１で説明したものと同じであるので説明は省略する。
【００６９】
中央処理装置（ＣＰＵ）１３は、RF-Base  BAND処理部２からＯＦＤＭ復調処理部３を
経て受信レベルＡ／Ｄコンバータ２２で検出した受信レベルを検出すると、当該受信レベルをメモリ１１に設定された基準レベル値（設定値）と比較する（Ｓ５０）。そして、これが基準レベル値（設定値）以上である場合には、受信した番組情報をメモリ１１に保存
する処理を行う（Ｓ５１）。
【００７０】
前記基準レベル値（設定値）は、外部からのユーザの入力指示によりあらかじめメモリ１１に設定したものであってもよいし、初期値としてメモリ（ＲＯＭ）１２から読み込んだものであってもよい。
【００７１】
同図に示す実施形態は、具体的には、車両の移動中に電波受信状態が悪く、受信した番組情報のデータが欠損してしまうような場合に有効である。
【００７２】
図１６は、番組情報の受信条件を外部からの指定によって設定するための中央処理装置（ＣＰＵ）１３の処理フローである。また、図１７はその際のインターバル時間の設定を説明する説明図である。
【００７３】
中央処理装置（ＣＰＵ）１３は、メモリ１１の条件設定領域を参照して、ユーザがあらかじめ設定した保存／情報取得時間（インターバル時間）であるか否かを判定する（Ｓ６０）そして、この保存／情報取得時間（インターバル時間）である場合には、受信した番組情報をメモリ１１に保存する処理を行う（Ｓ６１）。
【００７４】
このインターバル時間とは、図１７に示すような表示装置８のインターフェース画面を介して時、分で設定できるようになっている。たとえば「２時間」と設定した場合、２時間おきに中央処理装置（ＣＰＵ）１３は、図１６に示したフローにしたがって番組情報を取得しメモリ１１に保存する処理を行う。なお条件設定については前記インターバル時間の他に受信レベルも設定可能であり、表示装置８にスライダー表示を行いタッチパネル上のマーカーをユーザの指等や矢印ボタンなどで移動可能に設定できるようにすればよい。このように設定されたインターバル時間と受信レベルとはメモリ１１の受信条件設定領域（図示せず）に記憶される。
【００７５】
図１８は、メモリアクセス手段、すなわちメモリコントローラ１７が視聴頻度順位の高いジャンルの番組情報を他の番組情報と識別可能な表示状態で表示コントローラ（ＧＤＣ）７（前記表示制御手段）に送信するための概念を説明したものである。
【００７６】
すなわち、前述のお勧め番組は図４に示すようにメモリ１１から読み出されて、バスを介して表示コントローラ（ＧＤＣ）７から表示装置（Ｄｉｓｐｌａｙ）８に出力・表示されるが、表示装置８の画面領域を広く確保できる場合には、図１８の右図に示すように番組情報を番組表として縦方向に時間、横方向にチャンネルを配置して表示してもよい。その際に、図３で説明したように、視聴頻度順位の高い番組情報、すなわちお勧め番組情報のみを強調表示してもよい。ここで強調表示については、図９で説明したような強調表示フラグを設定しておけばよい。なお、中央処理装置（ＣＰＵ）１３は、移動体（車両）の状態によって図１８の左図に表示された画面表示と、右図に表示された表形式の画面表示とを切り替えてもよい。たとえば、エンジンキーによってエンジンが始動されてシステムがブート状態（起動状態）となっているときに、車両が停止しているときには一覧性の良好な図１８の右図の画面を表示し、車両が発進したときには左図のような画面表示を行うように制御することも可能である。
【００７７】
図１９は、前記起動制御手段としての中央処理装置（ＣＰＵ）１３がシステムの起動完了を検出した後にも、外部からの入力指示により、前記番組情報の表示を継続する処理フローを示したものである。
【００７８】
この例において、まず、中央処理装置（ＣＰＵ）１３がシステムの起動完了を検出するまでは図４で説明したような画面表示（番組情報の表示）が継続される。
【００７９】
そして、中央処理装置（ＣＰＵ）１３が、システムの起動が完了したことを検出すると（Ｓ７０）、当該番組情報の表示を継続するか否かを判定する（Ｓ７１）。このとき、表示装置８には、図１９の右図に示されるようなインターフェース画面が表示されており、当該番組情報を継続するか否かをユーザの入力により選択可能となっている。
【００８０】
ここで、表示の継続（ここでは「はい」の領域）が指示されたときには、図４或いは図１９に示す番組情報がそのまま継続表示される。
【００８１】
一方、表示の非継続（ここでは「いいえ」の領域）が指定されたときには、中央処理装置（ＣＰＵ）１３は、前回の電源オフ時の表示画面（メモリ１１に記憶されているシステム情報から取得する）または本来のカーナビゲーション画面を表示装置８に表示させる（Ｓ７２）
【００８２】
図２０は、システム起動完了後も前記の番組情報の継続表示を行うか否かをユーザ初期設定として行う場合の処理フローとその設定画面を示したものである。
【００８３】
まず中央処理装置（ＣＰＵ）１３は、同図右図に示すインターフェース画面を表示装置８に表示させて初期設定として、システムの起動完了後も番組表示画面の表示を継続させるか否かをユーザに設定させる。そしてこのときの設定情報は、メモリ１１のユーザ初期設定情報記録領域に記録する。
【００８４】
この例において、まず、中央処理装置（ＣＰＵ）１３がシステムの起動完了を検出するまでは図４で説明したような画面表示（番組情報の表示）が継続される。
【００８５】
そして、中央処理装置（ＣＰＵ）１３が、システムの起動が完了したことを検出すると（Ｓ８０）、中央処理装置（ＣＰＵ）１３は、メモリ１１のユーザ初期設定情報記録領域にアクセスして、番組表示画面の継続表示が設定されているか否かを判定する。ここで、継続表示が設定されている場合には、図４あるいは図１９に示す番組情報がそのまま継続表示される。
【００８６】
一方、表示の非継続が設定されているときには、中央処理装置（ＣＰＵ）１３は、前回の電源オフ時の表示画面（メモリ１１に記憶されているシステム情報から取得する）または本来のカーナビゲーション画面を表示装置８に表示させる（Ｓ８２）。
【００８７】
以上、本発明を実施形態に基づいて説明したが、本発明は前記実施形態に限定されるものではない。
【００８８】
たとえば、実施形態では地上波デジタル放送（ラジオ、テレビ）を例に説明したが、アナログＴＶ放送、衛星放送、ＡＭ／ＦＭラジオ放送にも適用できる。
【００８９】
また、自車のナビゲーション装置を利用し、自車の現在位置に対応した番組情報に限定して記憶、読み出しするようにしても良い。
【図面の簡単な説明】
【００９０】
【図１】本実施形態のシステム構成を示すブロック図である。
【図２】番組情報の読み出しを行うためのハードウエア構成を示すブロック図である。
【図３】メモリのアドレスマップを示す説明図である。
【図４】表示装置の画面表示例を示す図（１）である。
【図５】中央処理装置の処理フロー図（１）である。
【図６】表示装置のジャンル指定画面を示す図である。
【図７】外部から視聴率情報等の情報を得る場合のハードウエアの追加構成を示すブロック図である。
【図８】中央処理装置の処理フロー図（２）である。
【図９】強調表示を行うためのメモリのアドレスマップを示す説明図である。
【図１０】強調表示ジャンルをユーザが指定する表示画面とデータベースの状態を示した説明図である。
【図１１】中央処理装置の処理フロー図（３）である。
【図１２】ディスプレイマイコンの処理フロー図である。
【図１３】中央処理装置の拡張機能を説明するためのブロック図である。
【図１４】番組情報の受信を所定の受信条件のときのみに行う番組情報受信制御手段を具現化するためのハードウエアの追加構成を示すブロック図である。
【図１５】受信条件を設定した場合の番組情報の取得フロー図（１）である。
【図１６】受信条件を設定した場合の番組情報の取得フロー図（２）である。
【図１７】インターバル時間と受信レベル設定を行うためのインターフェース画面を示す図である。
【図１８】表示装置の画面表示例を示す図（２）である。
【図１９】番組情報の継続表示を行う場合の処理フロー図（１）である。
【図２０】番組情報の継続表示を行う場合の処理フロー図（２）である。
【符号の説明】
【００９１】
１  受信装置
２  RF-Base  BAND処理部
３  ＯＦＤＭ復調処理部
４  TS DEMUX処理部
５  ビデオデコーダ
６  オーディオデコーダ
７  表示コントローラ（ＧＤＣ）
８  表示装置（Ｄｉｓｐｌａｙ）
９  Ｄ／Ａコンバータ
１０  スピーカ
１１  メモリ（ＲＡＭ）
１２  メモリ（ＲＯＭ）
１３  中央処理装置（ＣＰＵ）
１４  時計手段（ＲＴＣ）
１５  大規模記憶装置（ＨＤＤ）
１６  バス（ＢＵＳ）
１７  メモリコントローラ（メモリアクセス手段）
１８  ミラーレジスタ
１９  ＤＣＭ
２０  ＤＣＭインターフェース
２２  受信レベルＡ／Ｄコンバータ
【図１】
2006303883.tif 000003
【図２】
2006303883.tif 000004
【図３】
2006303883.tif 000005
【図４】
2006303883.tif 000006
【図５】
2006303883.tif 000007
【図６】
2006303883.tif 000008
【図７】
2006303883.tif 000009
【図８】
2006303883.tif 000010
【図９】
2006303883.tif 000011
【図１０】
2006303883.tif 000012
【図１１】
2006303883.tif 000013
【図１２】
2006303883.tif 000014
【図１３】
2006303883.tif 000015
【図１４】
2006303883.tif 000016
【図１５】
2006303883.tif 000017
【図１６】
2006303883.tif 000018
【図１７】
2006303883.tif 000019
【図１８】
2006303883.tif 000020
【図１９】
2006303883.tif 000021
【図２０】
2006303883.tif 000022